(57)【要約】【課題】吸水管を回転させる吸水管モーターを有効に利用し、フィルター部材が目詰まりしないような気水分離効果をもたらす負イオン発生装置を提供することを目的とする。【解決手段】貯水槽４の水を吸引し吐出口５より周囲に飛散する吸水管６を回転する吸水管モーター７と、吸水管６の吐出口５を囲むように複数の衝突体８を立設した吸水管カバー９と、吸水管カバー９の衝突体８への水の衝突で発生する負イオンを含む微細水滴を搬送する送風ファン１０とを設け、吸水管カバー９と送風ファン１０を連通する通風路１３の下部中央に吸水管モーター７を配置して気水分離手段１４を形成したことにより、気水分離効果をもたらす負イオン発生装置が得られる。【選択図】図１
2006057866.tif 000002
【特許請求の範囲】
【請求項１】
吸込口と吹出口を有した本体と、この本体の底部に設けられる貯水槽と、この貯水槽水に下端が挿入され回転により吸引した水を吐出口より周囲に飛散させる吸水管と、この吸水管を回転駆動させる吸水管モーターと、前記吸水管の吐出口を囲むように複数の衝突体を立設した吸水管カバーと、この吸水管カバーの衝突体への水の衝突で発生する負イオンを含む微細水滴を搬送する送風ファンと、この送風ファンを回転させる送風用モーターを備え、この送風用モーターと前記吸水管モーターの回転方向を合わせるとともに、前記吸水管カバーと前記送風ファンを連通する上下方向の通風路の下部中央に前記吸水管モーターを配置して気水分離手段を形成した負イオン発生装置。
【請求項２】
気水分離手段は、吸水管カバーと送風ファンを連通する通風路を形成する筒状のフィルターケースと、このフィルターケース内に設けられる立体構造フィルターと、吸水管を回転させる吸水管モーターと、この吸水管モーターを覆うモーターカバーとを備え、前記モーターカバーの周辺部および上部の空間により気水分離手段を形成した請求項１記載の負イオン発生装置。
【請求項３】
気水分離手段を、フィルターケース内に設けた立体構造フィルターと、モーターカバーの周辺部および上部の空間により形成される分離空間とを備え、分離空間の高さを調整することにより、立体構造フィルターに付着する水滴量を調整可能に形成した請求項１記載の負イオン発生装置。
【請求項４】
気水分離手段をフィルターケース内に設けられる立体構造フィルターと、モーターカバー周辺部および上部の空間に形成される分離空間とを備え、前記分離空間の風量調整により立体構造フィルターに付着する水滴量を調整可能に形成した請求項１記載の負イオン発生装置。
【請求項５】
立体構造フィルターを支持するようにフィルターケースに設けられるフィルター支持枠を親水生材料で形成した請求項１記載の負イオン発生装置。
【請求項６】
立体構造フィルターを支持するようにフィルターケースに設けられるフィルター支持枠の中央部または外周部を下方に下げてフィルター支持枠を傾斜させ、前記立体構造フィルターに付着する水滴を中央部または外周部に案内する構成とした請求項５記載の負イオン発生装置。
【請求項７】
立体構造フィルターに親水生材料を塗布した請求項１記載の負イオン発生装置。
【請求項８】
フィルターケースを透明に形成した請求項１記載の負イオン発生装置。
【請求項９】
フィルターケースの内面に光牙媒を塗布した請求項１または８記載の負イオン発生装置。
【請求項１０】
送風ファンおよび送風用モーターを有した送風ファンユニット気水分離手段を分離可能に形成した請求項１記載の負イオン発生装置。
【発明の詳細な説明】
【技術分野】
【０００１】
本発明は、水を衝突部材等に衝突させ水を微粒化させて発生させる負イオン発生装置に関する。
【背景技術】
【０００２】
従来は、この種の負イオン発生装置の一例として、水を微粒化させ負イオンを発生させる負イオン空気発生装置が知られている（例えば、特許文献１参照）。
【０００３】
以下、その負イオン空気発生装置について図１３を参照しながら説明する。
【０００４】
図に示すように、ケーシング１０１内にはミスト発生タンク１０２が配設され、ミスト発生タンク１０２内にはリング状部材１０３がミスト発生タンク１０２内に設けられ、モータ１０４の回転軸１０５はシロッコファン１０６の回転軸となり、その先端に回転軸１０７が取り付けられ、下面の中央部には吸上げパイプ１０８を設け、フィルタ部材１０９をシロッコファン１０６の吸込側に設けている。
【０００５】
そして、モータ１０４が作動し、シロッコファン１０６が回動してケーシング１０１内にどうにゅうされた空気は、ミスト発生タンク１０２内で生成された負イオンおよび微細水滴と混合されてフィルタ部材１０９を通過するときに比較的大粒の水滴をフィルタ部材１０９に付着させて除去することにより気水分離をする構成としている。
【特許文献１】特開２００４−１０５８８７号公報（［００３２］〜［００３６］図４）
【発明の開示】
【発明が解決しようとする課題】
【０００６】
このような従来の負イオン空気発生装置では、フィルタ部材１０９を用いることにより気水分離を行うもので、フィルタ部材１０９に水滴が多量に付着して目詰まりを起こしやすいという課題があり、フィルタ部材１０９のみに頼ることなく気水分離効果をもたらすようにすることが要求されている。
【０００７】
本発明は、上記課題を解決するもので、吸水管を回転させる吸水管モータを有効にし、フィルタ部材に大きな負担を掛けずに気水分離効果をもたらすことのできる負イオン発生装置提供することを目的としている。
【課題を解決するための手段】
【０００８】
本発明の負イオン発生装置は上記目的を達成するために、本体の底部に設けらる貯水槽の水に下端が挿入され回転により吸引した水を吐出口より周囲に飛散させる吸水管と、この吸水管を回転駆動させる吸水管モータと、前記吸水管の吐出口を囲むように複数の衝突体を立設した吸水管カバーと、この吸水管カバーの衝突体への水の衝突で発生する負イオンを含む微細水滴を搬送する送風ファンと、この送風ファンを回転させる送風用モータとを備え、この送風用モータと前記吸水管モータの回転方向を合わせるとともに、前記送風ファンを連通する上下方向の通風路の下部中央に前記吸水管モータを配置して気水分離手段を形成したものである。
【０００９】
この手段により、通風路中に設けた吸水管モータを有効に利用し、フィルタ部材に大きな負担をかけない気水分離効果をもたらすことができる負イオン発生装置が得られる。
【００１０】
また、他の手段は、気水分離手段を、吸水管カバーと送風ファンを連通する通風路を形成する筒状のフィルタケースと、このフィルタケース内に設けられる立体構造フィルタと、吸水管を回転させる吸水管モータと、この吸水管モータを覆うモータカバーとを備え、前記モータカバーの周辺部および上部の空間により気水分離手段を形成したものである。
【００１１】
この手段により、気水分離性能を満たしながら安定した加湿量発生が可能な負イオン発生装置が得られる。
【００１２】
また、他の手段は、気水分離手段を、フィルタケース内に設けた立体構造フィルタと、モータカバーの周辺部および上部の空間により形成される分離空間とを備え、分離空間の高さを調整することにより、体構造フィルタに付着する水滴量を調整可能に形成したものである。
【００１３】
この手段により、加湿量の調整が可能となるとともに、塵埃除去性能の向上、または、構造のコンパクト化が図れる負イオン発生装置が得られる。
【００１４】
また、他の手段は、気水分離手段を、フィルタケース内に設けられる立体構造フィルタと、モータカバー周辺部および上部の空間に形成される分離空間とを備え、前記分離空間の風量調整により立体構造フィルタに付着する水滴量を調整可能に形成したものである。
【００１５】
この手段により、負イオン発生量を変化させることなく、加湿量の調整が可能となる負イオン発生装置が得られる。
【００１６】
また、他の手段は、立体構造フィルタを支持するようにフィルタケースに設けられるフィルタ支持枠を親水性材料で形成したものである。
【００１７】
この手段により、加湿量の調整が可能となる。
【００１８】
また、他の手段は、立体構造フィルタを支持するようにフィルタケースに設けられるフィルタ支持枠の中央部または外周部を下方に下げてフィルタ支持枠傾斜させ、前記立体構造フィルタに付着する水滴を中央部または外周部案内する構成としたものである。
【００１９】
この手段により、立体構造フィルタの下面に水滴膜を形成させずにスムーズに重力滴下を誘引できる負イオン発生装置が得られる。
【００２０】
また、他の手段は、立体構造フィルタに親水性材料を塗布したものである。
【００２１】
この手段により、通風圧損は増加させることなく、親水性効果により初期運転時から負イオン発生量を安定的に供給できる負イオン発生装置が得られる。
【００２２】
また、他の手段は、フィルタケースを透明に形成したものである。
【００２３】
この手段により、お手入れ時期を目視できる。
【００２４】
また、他の手段は、フィルタケースの内面に光牙媒を塗布したものである。
【００２５】
この手段により、フィルタケース内面に水滴付着が少なくなるとともに、内面の汚れを防ぐことができる。
【００２６】
また、他の手段は、送風ファンと送風用モータを有した送風ファンユニットと、気水分離手段を分離可能に形成したものである。
【００２７】
この手段により、清掃が容易となる。
【発明の効果】
【００２８】
本発明によれば、フィルタ部材のみに負担をかけずに気水分離手段をもたらすことができる負イオン発生装置を提供できる。
【００２９】
また、気水分離機能を満たしながら、安定した加湿量を得ることのできる効果のある負イオン発生装置を提供できる。
【００３０】
また、加湿量の調整、塵埃除去性能の向上、コンパクト化が図れる効果のある負イオン発生装置を提供できる。
【００３１】
また、水滴の重力によりスムーズに滴下、通風圧損増加を防止できる効果のある負イオン発生装置を提供できる。
【００３２】
また、親水性効果により初期運転時から負イオン発生量を安定できる効果のある負イオン発生装置を提供できる。
【００３３】
また、お手入れ時期を目視でき、また、清掃が容易にできる効果のある負イオン発生装置を提供できる。
【発明を実施するための最良の形態】
【００３４】
本発明の請求項１記載の発明は、吸込口と吹出口を有した本体と、この本体の底部に設けられる貯水槽と、この貯水槽の水に下端が挿入され回転により吸引した水を吐出口より周囲に飛散させる吸水管と、この吸水管を回転駆動させる吸水管モータと、前記吸水管の吐出口を囲むように複数の衝突体を立設した吸水管カバーと、この吸水管カバーの衝突体への水の衝突で発生する負イオンを含む微細水滴を搬送する送風ファンと、この送風ファンを回転させる送風用モータとを備え、この送風用モータと前記吸水管モータの回転方向を合わせるとともに前記吸水管カバーと前記送風ファンを連通する上下方向の通風路の下部中央に前記吸水管モータを配置して気水分離手段を形成したものであり、吸水管カバーで発生した負イオンを含む微細水滴は、通風路内の吸水管モータで妨げられた開口断面積の狭い部分を螺旋回転しながら最大風速で通過し、吸水管モータを通過した際の開口断面積は狭い部分の略２倍以上に広がることによって風速が減少し、水滴の大きなものは送風ファンに乗らずに落下もしくは通風路の壁面へ付着することで気水分離ができるという作用を有する。
【００３５】
また、請求項２記載の発明は、気水分離手段は吸水管カバーと送風ファンを連通する通風路を形成する筒状のフィルタケースと、このフィルタケースに設けられる立体構造フィルタと、吸水管を回転させる吸水管モータと、この吸水管モータを覆うモータカバーとを備え、前記モータカバーの周辺部および上部の空間により気水分離手段を形成したものであり、水膜が起こりにくく、立体構造フィルタを使用することによって、水膜によるフィルタの目詰まりが起こりにくくなり、圧力損失が増加せず通気抵抗も増加しなくなり、また、水膜が形成しないため、立体構造フィルタの水分保持量が一定に保たれることにより、気水分離性能を満たしながら安定した加湿量発生が可能となる。また、気水分離手段のコンパクト化、簡素化が図れるという作用を有する。
【００３６】
また、請求項３記載の発明は、気水分離手段は、フィルタケース内に設けた立体構造フィルタと、モータカバーの周辺部および上部の空間により形成される分離空間とを備え、分離空間の高さを調整することにより立体構造フィルタに付着する水滴量を調整可能に形成したものであり、負イオン発生量を変化させることなく、分離空間の高さを変化させることにより、立体構造フィルタに付着する水滴量を変化させることができ、それによって、加湿量の調整が可能となる。また、分離空間が広いほど塵埃除去性能が向上、また、狭いほどお手入れ部分の最小化やコンパクト化が可能となるという作用を有する。
【００３７】
また、請求項４記載の発明は、気水分離手段は、フィルタケース内に設けられる立体構造フィルタと、モータカバー周辺部および上部の空間に形成される分離空間とを備え、前記分離空間の風量調整により立体構造フィルタに付着する水滴量を調整可能に形成したものであり、負イオン発生量を変化させることなく、分離空間の風量を変化させることにより、立体構造フィルタに付着する水滴量を変化させることができ、そのことにより加湿量の調整が可能となるという作用を有する。
【００３８】
また、請求項５記載の発明は、立体構造フィルタを支持するようにフィルタケースに設けられるフィルタ支持枠を親水性材料で形成したものであり、立体構造フィルタの下面に付着する水膜は、通風圧損増大の要因となるため、立体構造フィルタに接触しているフィルタ支持枠により水滴膜を形成させずにスムーズに滴下を誘引できるという作用を有する。
【００３９】
また、請求項６記載の発明は、立体構造フィルタを支持するようにフィルタケースに設けられるフィルタ支持枠の中央部または外周部を下方に下げてフィルタ支持枠を傾斜させ、前記立体構造フィルタに付着する水滴を中央部または外周部に案内する構成としたものであり、立体構造フィルタの下面に付着する水膜は、通風圧損増大の要因となるものであるが、立体構造フィルタに接触しているフィルタ支持枠の中央部または外周部を下方に下げて傾斜させていることにより水滴がスムーズに流れ、水滴膜が形成されるのが防止されるという作用を有する。
【００４０】
また、請求項７記載の発明は、立体構造フィルタに親水性材料を塗布したものであり、立体構造フィルタの撥水による水膜形成が抑えられ、通風圧損の増加を防止し、また、親水性効果により初期運転時から負イオン発生量を安定的に供給できる作用を有する。
【００４１】
また、請求項８記載の発明は、フィルタケースを透明に形成したものであり、立体構造フィルタやモータカバーなどの汚れる部分の汚れ具合がわかり易くなり、お手入れ時期を目視できるという作用を有する。
【００４２】
また、請求項９記載の発明は、フィルタケースの内面に光触媒を塗布したものであり、表面張力を弱める親水性効果によって表面への水の撥水性を抑え、また、透明部への汚れ付着を抑えることにより、内部の目視性が向上する。また、にかわなどと同等の親水性効果が得られ、初期運転時から負イオン発生量を安定的に保つことができるという作用を有する。
【００４３】
また、請求項１０記載の発明は、送風ファンおよび送風ファンを有した送風ファンユニットと気水分離手段を分離可能に形成したものであり、汚れが付着した場合に、送風ファンユニットと気水分離手段を容易に分離して清掃することができるという作用を有する。
【００４４】
以下、本発明の実施の形態について図面を参照しながら説明する。
【００４５】
（実施の形態１）
図１に示すように、吸込口１と吹出口２を有した本体３の底部側に設けられる貯水槽４の水に下端が挿入され回転により吸引した水を吐出口５より周囲に飛散させる吸水管６と、吸水管６を回転駆動させるように吸水管６の上方に設けられる吸水管モータ７と、吸水管６の吐出口５を囲むように、複数の衝突体８を立設した吸水管カバー９と、吸水管カバー９の衝突体８への水の衝突で発生する負イオンを含む微細水滴を吹出口２へ搬送するように吸水管モータ７の上方位置に間隔をあけて設けられる送風ファン１０と、送風ファン１０を回転させる送風用モータ１１と、貯水槽４の水位を一定に維持するように給水タンク１２とを設け、吸水管カバー９と送風ファン１０を連通する通風路１３内部に吸水管モータ７を突出させ、吸水管モータ７の周辺部および上部の通風路１３により気水分離手段１４を形成して構成する。
【００４６】
上記構成において、装置を運転すると、送風用モータ１１が駆動し、送風用ファン１０が回転し、吸込口１から吸い込まれた空気は貯水槽４を通り、吸水管カバー９内を経て吸水管モータ７の周辺部および上部を通り送風用ファン１０に吸い込まれた吹出口２に至る空気流路が形成される。
【００４７】
一方、吸水管モータ７により貯水槽４内に端部が挿入されている吸水管６が回転し、吸水管６により吸い上げられた水は吸水管６に設けた吐出口５より周囲に飛散し、飛散した水は吸水管カバー９に設けた衝突体８に衝突して負イオンを含む微細水滴を形成する。
【００４８】
そして、負イオンを含む微細水滴は、送風用モータ１１により駆動された送風用ファン１０により形成される空気流路内に流れる空気流により吸水管モータ７の周辺部に送られ、吸水管カバー９と送風ファン１０を連通する通風路１３に送られる。
【００４９】
このとき、吸水管カバー９で発生した負イオンを含む微細水滴は通風路１３内の吸水管モータ７により開口断面積の狭い部分１３ａを螺旋回転しながら最大風速で通過し、っ吸水管モータ７の周辺部を通過した空気は、吸水管モータ７の上部の開口断面積の広い部分１３ｂに送られ、開口断面積の狭い部分１３ａの略２倍以上に広くなった上部の開口断面積の広い部分１３ｂにより広がることによって風速が減少し、水滴の大きなものは送風ファン１０の吸込気流に乗る前に落下し、または通風路１３の壁面に付着することで気水分離がなされる。このように通風路１３内で気水分離ができることとなるが、送風用ファン１０の吸込側に簡易フィルタ１４ａを設けて、気水分離効果を高めるようにしてもよい。
【００５０】
（実施の形態２）
図２に示すように、気水分離手段１４Ａを吸水管カバー９Ａと送風ファン１０Ａを連通する通風路１３Ａを形成する筒状のフィルタケース１５と、フィルタケース１５内に設けられる厚み大なる立体構造の立体構造フィルタ１６と、吸水管６Ａを回転させる吸水管モータ７Ａと、吸水管モータ７Ａを覆うモータカバー１７とを設け、モータカバー１７の周辺部および上部の空間により気水分離手段１４Ａを形成する構成とする。
【００５１】
上記構成において、装置を運転すると、実施の形態１で説明したように、送風ファン１０Ａにより、空気流路が形成され、一方、吸水管６Ａの回転により貯水槽４の水が吸い上げられ、吸水管カバー９Ａに向かい飛散されて発生した負イオンを含む微細水滴が送風ファン１０Ａの空気流により通風路１３Ａ内に流入し、吸水管モータ７Ａを覆うモータカバー１７の周辺部および上部の空間により形成される気水分離手段１４Ａにより、水滴の大きいものは、送風ファン１０Ａの風上側に設けられている立体構造フィルタ１６に到達する前に、落下もしくは通風路１３Ａの壁面となるフィルタケース１５内面に付着することとなり、水膜の形成が起こりにくい立体構造フィルタ１６へは、負イオンを含む微細水滴が送られることとなる。
【００５２】
このように、フィルタケース１５内に設けられる立体構造フィルタ１６の風上側に、吸水管６Ａを回転させる吸水管モータ７Ａを覆うモータカバー１７の周辺部および上部の空間により形成される気水分離手段１４Ａにより気水分離が行われ、さらに、水膜の形成が起こりにくい立体構造フィルタ１６を使用することによって目詰りが生じ難くなり、圧力損失が増加せず通気抵抗は増加しなくなる。
【００５３】
また、水膜が形成されないため、立体構造フィルタ１６の水分保持量が一定に保てるために、気水分離機能を満たしながら安定した加湿量発生が可能となることとなる。
【００５４】
（実施の形態３）
図３に示すように、気水分離手段１４Ｂを、フィルタケース１５Ａ内に設けた立体構造フィルタ１６Ａと、モータカバー１７Ａの周辺部および上部の空間により形成される分離空間１８とを備え、分離空間１８の高さ（Ｈ）を調整することにより、立体構造フィルタ１６Ａに付着する水滴量を調整可能に形成し構成する。
【００５５】
上記構成において、分離空間１８の高さ（Ｈ）の位置に立体構造フィルタ１６Ａを配設して装置を運転したときには、送風ファン１０Ａにより空気流路が形成され、一方、吸水管６Ａの回転により水が吸い上げられ、吸水管カバー９Ａに向かい形成されて発生した負イオンを含む微細水滴が送風ファン１０Ａの空気流により分離空間１８に流入し、分離空間１８内においては、気水分離手段１４Ｂの機能により、水滴の大きいものは送風ファン１０Ａの風上側に設けられている立体構造フィルタ１６Ａに導かれずに、落下もしくはフィルタケース１５Ａの内面に付着することとなり、水膜の形成が起こりにくい立体構造フィルタ１６Ａには負イオンを含む微細水滴が送られ、容易に通過して吹出口２から放出されることとなる。
【００５６】
また、分離空間１８の高さ（Ｈ）を（Ｈ１）に下げた状態において、装置を運転すると、吸水管６Ａの回転により水が吸い上げられ、吸水管カバー９Ａに向かい飛散されて発生した負イオンを含む微細水滴が送風ファン１０Ａの空気流により分離空間１８内に流入するが、分離空間１８Ａの高さ（Ｈ）が（Ｈ１）と低くなっていることにより、分離空間１８Ａ内における気水分離手段１４Ｂにおける気水分離が不十分となり、立体構造フィルタ１６Ａには水滴が多く付着することとなる。
【００５７】
このように、分離空間１８の高さが（Ｈ）の場合には気水分離手段１４Ｂの機能が十分に作用し、分離空間１８Ａのように高さを（Ｈ１）とした場合には気水分離手段１４Ｂの機能が十分に作用しない状態となり、分離空間１８の高さの変化により加湿量の調整が可能となるもので、負イオン発生量を変化させることなく、分離空間１８の高さ（Ｈ）を（Ｈ１）に変化させることにより、立体構造フィルタ１６Ａに付着する水滴量を変化させることができ、そのことによって加湿量の調整が可能となる。
【００５８】
（実施の形態４）
図４に示すように気水分離手段１４Ｃをフィルタケース１５Ｂ内に設けられる立体構造フィルタ１６Ｂと、モータカバー１７Ｂの周辺部および上部の空間に形成される分離空間１８Ｂとを設け、分離空間１８Ｂに流れる風量を送風用モータ１１Ａの回転数を調整することによって、立体構造フィルタ１６Ｂに付着する水滴量を調整可能に形成した構成とする。
【００５９】
上記構成において、送風用モータ１１Ａを低速で運転すると分離空間１８Ｂに流れる風量が減少し、吸水管６Ａにより吸い上げられ吸水管カバー９Ａに飛散し、負イオンを含む微細水滴が空気流により分離空間１８Ｂ内に送られ、分離空間１８Ｂ内においては、気水分離手段１４Ｃの作用により、水滴の大きいものは送風用モータ１１Ａにより回転される送風ファン１０Ｂの風上側に設けられている立体構造フィルタ１６Ｂに到達せずに、落下もしくはフィルタケース１５Ｂの内面に付着することとなり、水膜の形成が起こりにくい立体構造フォルター１６Ｂには負イオンを含む微細水滴が送られることとなる。
【００６０】
このとき、送風ファン１０Ｂによる風量が多いと立体構造フィルタ１６Ｂには多量の水滴が送られ、加湿量が増大し、送風ファン１０Ｂによる風量が少ないときには、立体構造フィルタ１６Ｂには少量の水滴が送られ加湿量が減少することとなる。
【００６１】
このように、分離空間１８Ｂの風量を調整することにより、立体構造フィルタ１６Ｂに付着する水滴量が調整できることとなり、負イオン発生量を変化させることなく、分離空間１８Ｂの風量の変化によって立体構造フィルタ１６Ｂに付着する水滴量を変化させて加湿量の調整を行うことができることとなる。
【００６２】
（実施の形態５）
図５および図６に示すように、立体構造フィルタ１６Ｃを支持するようにフィルタケース１５Ｃに設けられるフィルタ支持枠１９を、にかわ、ポリビニールアルコール、光触媒、イオン交換繊維などの親水性材料で形成し構成する。
【００６３】
上記構成において、立体構造フィルタ１６Ｃに水滴が付着し立体構造フィルタ１６Ｃの下面に水膜が形成しようとしても、立体構造フィルタ１６Ｃの下面は親水性材料で形成したフィルタ支持枠１９で支持されていることにより、フィルタ支持枠１９には、水滴を生成することがなくなり、余った水分は流下するようにスムーズに誘引され、立体構造フィルタ１６Ｃの下面への水膜の発生が防止でき、水膜による通風抵抗の増大の要因を解消できることとなる。
【００６４】
（実施の形態６）
図７に示すように、立体構造フィルタ１６Ｄを支持するようにフィルタケース１５Ｄに設けられるフィルタ支持枠１９Ａの中央部を下方に下げた形状とすることにより、立体構造フィルタ１６Ｄに付着する水滴を中央部に案内して滴下させる構成とする。
【００６５】
上記構成において、立体構造フィルタ１６Ｄに付着する水滴は、立体構造フィルタ１６Ｄを支持するフィルタ支持枠１９Ａによりフィルタ支持枠１９Ａが傾斜している中央部側に案内されて下方に滴下する。
【００６６】
また、図８に示すように、立体構造フィルタ１６Ｄを支持するように、フィルタケース１５Ｄに設けられるフィルタ支持枠１９Ｂの外周部を下方に下げた形状とすることにより、立体構造フィルタ１６Ｄに付着する水滴を外周部に案内して滴下させる構成とする。
【００６７】
上記構成において、立体構造フィルタ１６Ｄに付着する水滴は、リッタイコウゾウフィルタ１６Ｄを支持するフィルタ支持枠１９Ｂにより、フィルタ支持枠１９Ｂが傾斜している外周ぶ側に案内されて下方に滴下する。
【００６８】
このように、立体構造フィルタ１６Ｄを支持するようにフィルタケース１５Ｄに設けられる中央部を下方に下げたフィルタ支持枠１９Ａ、または、外周部を下方に下げたフィルタ支持枠１９Ｂにより、立体構造フィルタ１６Ｄに付着する水滴を中央部または外周部に案内することにより、立体構造フィルタ１６Ｄの下面に形成される水膜の発生が防止でき、水膜による通風の圧損増大の要因を解消でき、また、フィルタ支持枠をフィルタケース内の一面から対向する他の面に至る一つの傾斜面で形成した場合と比較して傾斜面の長さが１／２と短くなることにより、水滴の案内をよりスムーズに行うことができ、立体構造フィルタ１６Ｄの下面に形成されようとする水膜の発生をより効率良く防止できることとなる。
【００６９】
（実施の形態７）
図９に示すように、立体構造フィルタ１６Ｅに、にかわ、ポリビニールアルコール、光触媒などの親水性材料を塗布した構成とする。
【００７０】
上記構成において、立体構造フィルタ１６Ｅには、親水性材料が塗布されていることで、立体構造フィルタ１６Ｅに水滴が飛散して付着しても、親水作用により、フィルタ表面に水膜群が形成されず抑制されることとなり、通風の圧損増加が防止され、通風量を確保できるとともに、初期運転時から負イオン量を安定的に供給できることとなる。
【００７１】
（実施の形態８）
図１０に示すように、フィルタケース１５Ｅを透明に形成し構成する。
【００７２】
上記構成において、装置が運転されることにより、塵埃を含む空気等が流れることによりフィルタケース１５Ｅ内の空気流路に存在するモータカバー１７Ｃおよび立体構造フィルタ１６Ｆが汚れることとなる。
【００７３】
このとき、フィルタケース１５Ｅは透明に形成されていることにより、フィルタケース１５Ｅを透してモータカバー１７Ｃおよび立体構造フィルタ１６Ｆの汚れ具合がわかり、お手入れ時期を目視できることとなる。したがって、お手入れ時期を見逃がすことがなく、モータカバー１７Ｃおよび立体構造フィルタ１６Ｆの汚染を目視確認したときに即座に掃除することができ、保守点検を確実に行うことができる。
【００７４】
（実施の形態９）
図１１に示すように、フィルタケース１５Ｆの内面２０に、汚染分解、親水性機能等をもたらす公知の光触媒を塗布した形状で構成する。
【００７５】
上記構成において、透明のフィルタケース１５Ｆの内面２０に塗布された光触媒によって、表面張力を弱める親水性効果が作用し、フィルタケース１５Ｆ内面に水滴が付着せず、運転中でも内部を透視することができる。
【００７６】
また、透明のフィルタ１５Ｆの内面２０に汚れが付着するのが抑えられることにより、透明性を保ち。フィルタケ０ス１５Ｆ内部の視認性が向上する。また、にかわなどと同等の親水性効果が得られ、本体での初期運転時から負イオンを安定的に供給できる。
【００７７】
（実施の形態１０）
図１２に示すように送風ファン１０Ｃおよび送風用モータ１１Ｂを有した送風ファンユニット２１と、気水分離手段１４Ｄをフィルタケース１５Ｇと立体構造フィルタ１６Ｇに分離可能に形成し、本体３Ａに付着されるように構成する。
【００７８】
上記構成において、負イオン発生装置に汚れが付着し、掃除するときには、本体３Ａの上部に装着されている送風ファンユニット２１を取り外したのち、本体３Ａ内に装着されているフィルタケース１５Ｇを取り外し、フィルタケース１５Ｇから立体構造フィルタ１６Ｇを取り外し、個々に掃除を行う。
【００７９】
掃除後は立体構造フィルタ１６Ｇを収納したフィルタケース１５Ｇを本体３Ａに組み込み、その後本体３Ａの上部に送風ファンユニット２１を装着して負イオン発生装置を形成する。
【００８０】
このように送風ファン１０Ｃおよび送風用モータ１１Ｂを有した送風ファンユニット２１と、立体構造フィルタ１６Ｇを取り外すことのできるフィルタケース１５Ｇからなる気水分離手段１４とに分離可能に形成していることにより、負イオン発生装置の内部に汚れが付着した場合に、送風ファンユニット２１と気水分離手段１４Ｄとに容易に分離して清掃をすることができることとなる。
【産業上の利用可能性】
【００８１】
負イオン発生装置の気水分離手段として立体構造フィルタを用いることにより加湿装置、集塵装置、脱臭装置の用途にも適用できる。
【図面の簡単な説明】
【００８２】
【図１】本発明の実施の形態１の負イオン発生装置の構成を示す断面図
【図２】本発明の実施の形態２の負イオン発生装置の構成を示す断面図
【図３】本発明の実施の形態３の負イオン発生装置の構成を示す断面図
【図４】本発明の実施の形態４の負イオン発生装置の構成を示す断面図
【図５】本発明の実施の形態５の負イオン発生装置のフィルタケースを示す断面図
【図６】同負イオン発生装置のフィルタケースの斜視図
【図７】本発明の実施の形態６の負イオン発生装置のフィルタ支持枠を示す断面図
【図８】同負イオン発生装置の他のフィルタ支持枠を示す断面図
【図９】本発明の実施の形態７の負イオン発生装置の立体構造フィルタの断面図
【図１０】本発明の実施の形態８の負イオン発生装置の構造を示す断面図
【図１１】本発明の実施の形態９の負イオン発生装置のフィルタケースの斜視図
【図１２】本発明の実施の形態１０の負イオン発生装置の分解断面図
【図１３】従来の負イオン空気発生装置の断面図
【符号の説明】
【００８３】
１      吸込口
２      吹出口
３      本体
４      貯水槽
５      吐出口
６      吸水管
６Ａ    吸水管
７      吸水管モータ
７Ａ    吸水管モータ
８      衝突体
９      吸水管カバー
９Ａ    吸水管カバー
１０    送風ファン
１０Ａ  送風ファン
１０Ｃ  送風ファン
１１    送風用モータ
１１Ｂ  送風用モータ
１３    通風路
１３Ａ  通風路
１４    気水分離手段
１４Ａ  気水分離手段
１４Ｂ  気水分離手段
１４Ｃ  気水分離手段
１４Ｄ  気水分離手段
１５    フィルタケース
１５Ａ  フィルタケース
１５Ｂ  フィルタケース
１５Ｃ  フィルタケース
１５Ｄ  フィルタケース
１５Ｅ  フィルタケース
１５Ｆ  フィルタケース
１６    立体構造フィルタ
１６Ａ  立体構造フィルタ
１６Ｂ  立体構造フィルタ
１６Ｃ  立体構造フィルタ
１６Ｄ  立体構造フィルタ
１６Ｅ  立体構造フィルタ
１７    モータカバー
１７Ａ  モータカバー
１７Ｂ  モータカバー
１８    分離空間
１８Ａ  分離空間
１８Ｂ  分離空間
１９    フィルタ支持枠
１９Ａ  フィルタ支持枠
１９Ｂ  フィルタ支持枠
２０    内面
２１    送風ファンユニット
【図１】
2006057866.tif 000003
【図２】
2006057866.tif 000004
【図３】
2006057866.tif 000005
【図４】
2006057866.tif 000006
【図５】
2006057866.tif 000007
【図６】
2006057866.tif 000008
【図７】
2006057866.tif 000009
【図８】
2006057866.tif 000010
【図９】
2006057866.tif 000011
【図１０】
2006057866.tif 000012
【図１１】
2006057866.tif 000013
【図１２】
2006057866.tif 000014
【図１３】
2006057866.tif 000015